(57)【特許請求の範囲】
【請求項１】
電子機器（２２）にデータを送信するために電子表示装置（１６Ａ，１６Ｂ）の画面（１４Ａ，１４Ｂ）上に少なくとも１つのマトリックスコード（１２）を表示する方法であって、前記電子機器（２２）は、前記マトリックスコード（１２）を読み取る手段（５４）を備え、前記電子表示装置（１６Ａ，１６Ｂ）は、前記画面（１４Ａ，１４Ｂ）と、前記画面上に情報を表示する手段（４２）とを備え、
前記方法は、
送信される前記データから少なくとも１つの二次元マトリックスコード（１２）を生成するステップ（１４０；２４０）と、
前記マトリックスコードを前記画面（１４Ａ，１４Ｂ）上に表示するステップ（１７０；２９０）であって、前記マトリックスコード（１２）は、複数のマトリックスコード（１２）が生成されるときに連続的に表示される、ステップ（１７０；２９０）とを含み、
前記方法は更に、
生成されたマトリックスコード（１２）に対応する一次画像（５０）を少なくとも２つの二次画像（５２）に分割するステップ（１６０；２６０）であって、前記一次画像（５０）の寸法は、前記マトリックスコード（１２）の寸法に等しく、各二次画像（５２）の寸法は、前記電子表示装置の前記画面（１４Ａ，１４Ｂ）の解像度以下である、ステップ（１６０；２６０）を含み、
前記対応するマトリックスコード（１２）は、前記表示するステップ（１７０；２９０）中に前記二次画像（５２）の形態で表示され、前記二次画像（５２）は、前記画面（１４Ａ，１４Ｂ）上に連続的に表示され、
前記画面（１４Ａ，１４Ｂ）の解像度と前記マトリックスコード（１２）の各々は、水平方向（Ｘ）の寸法を有し、前記水平方向（Ｘ）における二次画像（５２）の数Ｎｘは、以下の方程式を検証し、
【数１】
0006396442.tif 000018
ここで、Ｌ１ｘは、前記水平方向（Ｘ）における前記マトリックスコード（１２）の寸法を表し、Ｌ２ｘは、前記水平方向（Ｘ）における前記画面（１４Ａ，１４Ｂ）の解像度の寸法を表し、Ｅは、整数部分を示すことを特徴とする方法。
【請求項２】
前記画面（１４Ａ，１４Ｂ）の解像度と前記マトリックスコード（１２）の各々は、垂直方向（Ｙ）の寸法を有し、前記垂直方向（Ｙ）における二次画像（５２）の数Ｎｙは、以下の方程式を検証し、
【数２】
0006396442.tif 000019
ここで、Ｌ１ｙは、前記垂直方向（Ｙ）における前記マトリックスコード（１２）の寸法を表し、Ｌ２ｙは、前記垂直方向（Ｙ）における前記画面（１４Ａ，１４Ｂ）の解像度の寸法を表し、Ｅは、整数部分を示す、請求項１に記載の方法。
【請求項３】
電子機器（２２）にデータを送信するために電子表示装置（１６Ａ，１６Ｂ）の画面（１４Ａ，１４Ｂ）上に少なくとも１つのマトリックスコード（１２）を表示する方法であって、前記電子機器（２２）は、前記マトリックスコード（１２）を読み取る手段（５４）を備え、前記電子表示装置（１６Ａ，１６Ｂ）は、前記画面（１４Ａ，１４Ｂ）と、前記画面上に情報を表示する手段（４２）とを備え、
前記方法は、
送信される前記データから少なくとも１つの二次元マトリックスコード（１２）を生成するステップ（１４０；２４０）と、
前記マトリックスコードを前記画面（１４Ａ，１４Ｂ）上に表示するステップ（１７０；２９０）であって、前記マトリックスコード（１２）は、複数のマトリックスコード（１２）が生成されるときに連続的に表示される、ステップ（１７０；２９０）とを含み、
前記方法は更に、
生成されたマトリックスコード（１２）に対応する一次画像（５０）を少なくとも２つの二次画像（５２）に分割するステップ（１６０；２６０）であって、前記一次画像（５０）の寸法は、前記マトリックスコード（１２）の寸法に等しく、各二次画像（５２）の寸法は、前記電子表示装置の前記画面（１４Ａ，１４Ｂ）の解像度以下である、ステップ（１６０；２６０）を含み、
前記対応するマトリックスコード（１２）は、前記表示するステップ（１７０；２９０）中に前記二次画像（５２）の形態で表示され、前記二次画像（５２）は、前記画面（１４Ａ，１４Ｂ）上に連続的に表示され、
前記画面（１４Ａ，１４Ｂ）の解像度と前記マトリックスコード（１２）の各々は、垂直方向（Ｙ）の寸法を有し、前記垂直方向（Ｙ）における二次画像（５２）の数Ｎｙは、以下の方程式を検証し、
【数３】
0006396442.tif 000020
ここで、Ｌ１ｙは、前記垂直方向（Ｙ）における前記マトリックスコード（１２）の寸法を表し、Ｌ２ｙは、前記垂直方向（Ｙ）における前記画面（１４Ａ，１４Ｂ）の解像度の寸法を表し、Ｅは、整数部分を示すことを特徴とする方法。
【請求項４】
前記画面（１４Ａ，１４Ｂ）の解像度と前記マトリックスコード（１２）の各々は、水平方向（Ｘ）の寸法を有し、前記水平方向（Ｘ）における二次画像（５２）の数Ｎｘは、以下の方程式を検証し、
【数４】
0006396442.tif 000021
ここで、Ｌ１ｘは、前記水平方向（Ｘ）における前記マトリックスコード（１２）の寸法を表し、Ｌ２ｘは、前記水平方向（Ｘ）における前記画面（１４Ａ，１４Ｂ）の解像度の寸法を表し、Ｅは、整数部分を示す、請求項３に記載の方法。
【請求項５】
各マトリックスコード（１２）における二次画像の数（Ｎ）は、前記電子表示装置の前記画面（１４Ａ，１４Ｂ）の解像度（Ｌ２ｘ，Ｌ２ｙ）と、前記マトリックスコード（１２）の寸法（Ｌ１ｘ，Ｌ１ｙ）との関数である、請求項１から４のいずれか一項に記載の方法。
【請求項６】
各マトリックスコード（１２）における二次画像（５２）の数Ｎは、以下の方程式：
【数５】
0006396442.tif 000022
を検証する、請求項２又は４に記載の方法。
【請求項７】
電子機器（２２）にデータを送信するために電子表示装置（１６Ａ，１６Ｂ）の画面（１４Ａ，１４Ｂ）上に少なくとも１つのマトリックスコード（１２）を表示する方法であって、前記電子機器（２２）は、前記マトリックスコード（１２）を読み取る手段（５４）を備え、前記電子表示装置（１６Ａ，１６Ｂ）は、前記画面（１４Ａ，１４Ｂ）と、前記画面上に情報を表示する手段（４２）とを備え、
前記方法は、
送信される前記データから少なくとも１つの二次元マトリックスコード（１２）を生成するステップ（１４０；２４０）と、
前記マトリックスコードを前記画面（１４Ａ，１４Ｂ）上に表示するステップ（１７０；２９０）であって、前記マトリックスコード（１２）は、複数のマトリックスコード（１２）が生成されるときに連続的に表示される、ステップ（１７０；２９０）とを含み、
前記方法は更に、
生成されたマトリックスコード（１２）に対応する一次画像（５０）を少なくとも２つの二次画像（５２）に分割するステップ（１６０；２６０）であって、前記一次画像（５０）の寸法は、前記マトリックスコード（１２）の寸法に等しく、各二次画像（５２）の寸法は、前記電子表示装置の前記画面（１４Ａ，１４Ｂ）の解像度以下である、ステップ（１６０；２６０）を含み、
前記対応するマトリックスコード（１２）は、前記表示するステップ（１７０；２９０）中に前記二次画像（５２）の形態で表示され、前記二次画像（５２）は、前記画面（１４Ａ，１４Ｂ）上に連続的に表示され、
前記分割するステップ（１６０；２６０）中、前記一次画像（５０）は、複数の断片に分割され、前記断片の各々は、フレームにより取り囲まれ、各二次画像（５２）は、前記フレームにより取り囲まれる前記一次画像（５０）の対応断片を備え、
前記画面（１４Ａ，１４Ｂ）の解像度と前記マトリックスコード（１２）の各々は、水平方向（Ｘ）の寸法を有し、前記水平方向（Ｘ）における二次画像（５２）の数Ｎｘは、以下の方程式を検証し、
【数６】
0006396442.tif 000023
ここで、Ｌ１ｘは、前記水平方向（Ｘ）における前記マトリックスコード（１２）の寸法を表し、Ｌ２ｘは、前記水平方向（Ｘ）における前記画面（１４Ａ，１４Ｂ）の解像度の寸法を表し、Ｅは、整数部分を示し、ｅｐは、前記フレームの厚さを示すことを特徴とする方法。
【請求項８】
電子機器（２２）にデータを送信するために電子表示装置（１６Ａ，１６Ｂ）の画面（１４Ａ，１４Ｂ）上に少なくとも１つのマトリックスコード（１２）を表示する方法であって、前記電子機器（２２）は、前記マトリックスコード（１２）を読み取る手段（５４）を備え、前記電子表示装置（１６Ａ，１６Ｂ）は、前記画面（１４Ａ，１４Ｂ）と、前記画面上に情報を表示する手段（４２）とを備え、
前記方法は、
送信される前記データから少なくとも１つの二次元マトリックスコード（１２）を生成するステップ（１４０；２４０）と、
前記マトリックスコードを前記画面（１４Ａ，１４Ｂ）上に表示するステップ（１７０；２９０）であって、前記マトリックスコード（１２）は、複数のマトリックスコード（１２）が生成されるときに連続的に表示される、ステップ（１７０；２９０）とを含み、
前記方法は更に、
生成されたマトリックスコード（１２）に対応する一次画像（５０）を少なくとも２つの二次画像（５２）に分割するステップ（１６０；２６０）であって、前記一次画像（５０）の寸法は、前記マトリックスコード（１２）の寸法に等しく、各二次画像（５２）の寸法は、前記電子表示装置の前記画面（１４Ａ，１４Ｂ）の解像度以下である、ステップ（１６０；２６０）を含み、
前記対応するマトリックスコード（１２）は、前記表示するステップ（１７０；２９０）中に前記二次画像（５２）の形態で表示され、前記二次画像（５２）は、前記画面（１４Ａ，１４Ｂ）上に連続的に表示され、
前記分割するステップ（１６０；２６０）中、前記一次画像（５０）は、複数の断片に分割され、前記断片の各々は、フレームにより取り囲まれ、各二次画像（５２）は、前記フレームにより取り囲まれる前記一次画像（５０）の対応断片を備え、
前記画面（１４Ａ，１４Ｂ）の解像度と前記マトリックスコード（１２）の各々は、垂直方向（Ｙ）の寸法を有し、前記垂直方向（Ｙ）における二次画像（５２）の数Ｎｙは、以下の方程式を検証し、
【数７】
0006396442.tif 000024
ここで、Ｌ１ｙは、前記垂直方向（Ｙ）における前記マトリックスコード（１２）の寸法を表し、Ｌ２ｙは、前記垂直方向（Ｙ）における前記画面（１４Ａ，１４Ｂ）の解像度の寸法を表し、Ｅは、整数部分を示し、ｅｐは、前記フレームの厚さを示すことを特徴とする方法。
【請求項９】
前記各フレームは、エンコードされた情報を含む一群の線の形態を成す、請求項７又は８に記載の方法。
【請求項１０】
前記マトリックスコード（１２）又は各マトリックスコード（１２）は、ＩＳＯ／ＩＥＣ１８００４標準規格に準拠する、請求項１から９のいずれか一項に記載の方法。
【請求項１１】
送信される前記データは、前記電子表示装置（１６Ａ，１６Ｂ）とは異なる遠隔電子装置（１８）から受信され、前記遠隔電子装置（１８）は、データリンク（２０）を介して前記電子表示装置（１６Ａ，１６Ｂ）に接続される、請求項１から１０のいずれか一項に記載の方法。
【請求項１２】
前記遠隔電子装置（１８）は、送信される前記データから少なくとも１つの二次元マトリックスコード（１２）を生成する生成手段（４６）と、生成されたマトリックスコード（１２）に対応する一次画像（５０）を少なくとも２つの二次画像（５２）に分割する分割手段（４８）とを備え、前記生成するステップ（２４０）と前記分割するステップ（２６０）はそれぞれ、前記生成手段（４６）と前記分割手段（４８）により行われる、請求項１１に記載の方法。
【請求項１３】
電子機器（２２）にデータを送信するために画面（１４Ａ，１４Ｂ）上に少なくとも１つのマトリックスコード（１２）を表示するシステム（１０）であって、前記電子機器（２２）は、前記マトリックスコード（１２）を読み取る手段（５４）を備え、
前記システム（１０）は、
前記画面（１４Ａ，１４Ｂ）と、前記画面（１４Ａ，１４Ｂ）上に情報を表示する表示手段（４２）と、を備える少なくとも１つの電子表示装置（１６Ａ，１６Ｂ）と、
送信される前記データから少なくとも１つの二次元マトリックスコード（１２）を生成する生成手段（４６）とを備え、
前記表示手段（４２）は、前記マトリックスコードを前記画面（１４Ａ，１４Ｂ）上に表示するのに適しており、前記マトリックスコード（１２）は、複数のマトリックスコード（１２）が生成されるときに連続的に表示され、
前記システムは更に、生成されたマトリックスコード（１２）に対応する一次画像（５０）を少なくとも２つの二次画像（５２）に分割する手段（４８）を備え、前記一次画像（５０）の寸法は、前記マトリックスコード（１２）の寸法に等しく、各二次画像（５２）の寸法は、対応する前記電子表示装置の前記画面（１４Ａ，１４Ｂ）の解像度以下であり、
前記対応するマトリックスコード（１２）は、前記表示手段（４２）により前記二次画像（５２）の形態で表示され、前記二次画像（５２）は、対応する前記画面（１４Ａ，１４Ｂ）上に連続的に表示され、
前記画面（１４Ａ，１４Ｂ）の解像度と前記マトリックスコード（１２）の各々は、水平方向（Ｘ）の寸法を有し、前記水平方向（Ｘ）における二次画像（５２）の数Ｎｘは、以下の方程式を検証し、
【数８】
0006396442.tif 000025
ここで、Ｌ１ｘは、前記水平方向（Ｘ）における前記マトリックスコード（１２）の寸法を表し、Ｌ２ｘは、前記水平方向（Ｘ）における前記画面（１４Ａ，１４Ｂ）の解像度の寸法を表し、Ｅは、整数部分を示すことを特徴とするシステム（１０）。
【請求項１４】
電子機器（２２）にデータを送信するために画面（１４Ａ，１４Ｂ）上に少なくとも１つのマトリックスコード（１２）を表示するシステム（１０）であって、前記電子機器（２２）は、前記マトリックスコード（１２）を読み取る手段（５４）を備え、
前記システム（１０）は、
前記画面（１４Ａ，１４Ｂ）と、前記画面（１４Ａ，１４Ｂ）上に情報を表示する表示手段（４２）と、を備える少なくとも１つの電子表示装置（１６Ａ，１６Ｂ）と、
送信される前記データから少なくとも１つの二次元マトリックスコード（１２）を生成する生成手段（４６）とを備え、
前記表示手段（４２）は、前記マトリックスコードを前記画面（１４Ａ，１４Ｂ）上に表示するのに適しており、前記マトリックスコード（１２）は、複数のマトリックスコード（１２）が生成されるときに連続的に表示され、
前記システムは更に、生成されたマトリックスコード（１２）に対応する一次画像（５０）を少なくとも２つの二次画像（５２）に分割する手段（４８）を備え、前記一次画像（５０）の寸法は、前記マトリックスコード（１２）の寸法に等しく、各二次画像（５２）の寸法は、対応する前記電子表示装置の前記画面（１４Ａ，１４Ｂ）の解像度以下であり、
前記対応するマトリックスコード（１２）は、前記表示手段（４２）により前記二次画像（５２）の形態で表示され、前記二次画像（５２）は、対応する前記画面（１４Ａ，１４Ｂ）上に連続的に表示され、
前記画面（１４Ａ，１４Ｂ）の解像度と前記マトリックスコード（１２）の各々は、垂直方向（Ｙ）の寸法を有し、前記垂直方向（Ｙ）における二次画像（５２）の数Ｎｙは、以下の方程式を検証し、
【数９】
0006396442.tif 000026
ここで、Ｌ１ｙは、前記垂直方向（Ｙ）における前記マトリックスコード（１２）の寸法を表し、Ｌ２ｙは、前記垂直方向（Ｙ）における前記画面（１４Ａ，１４Ｂ）の解像度の寸法を表し、Ｅは、整数部分を示すことを特徴とするシステム（１０）。
【請求項１５】
前記システム（１０）は、前記電子表示装置（１６Ａ，１６Ｂ）とは異なる遠隔電子装置（１８）を更に備え、前記遠隔電子装置（１８）は、データリンク（２０）を介して前記電子表示装置又は各電子表示装置（１６Ａ，１６Ｂ）に接続され、前記遠隔電子装置（１８）は、送信される前記データを記憶するための記憶メモリ（３４）を備え、送信される前記データは、前記記憶メモリ（３４）から前記生成手段（４６）により受信される、請求項１３又は１４に記載のシステム（１０）。
【発明の詳細な説明】
【技術分野】
【０００１】
本発明は、マトリックスコードを読み取る手段を備える電子機器にデータを送信するために電子表示装置の画面上に少なくとも１つのマトリックスコードを表示する方法に関する。表示装置は、画面と、画面上に情報を表示する手段とを備える。
【０００２】
この方法は、送信されるデータから少なくとも１つの二次元マトリックスコードを生成し、マトリックスコードを画面上に表示することとを含み、このマトリックスコードは、複数のマトリックスコードが生成されるときに連続的に（successively）表示される。
【０００３】
また、本発明は、マトリックスコードを読み取る手段を備える電子機器にデータを送信するために画面上に少なくとも１つのマトリックスコードを表示するシステムに関する。
【背景技術】
【０００４】
ＱＲ（クイックレスポンス）コード（登録商標）とも称される複数のタイプの二次元マトリックスコードが存在し、また、ＱＲコードの形態でエンコードされ得るデータの量は、前記ＱＲコードのサイズにより決まる。ＱＲコードは二次元コードであり、また、そのサイズは、ピクセルの２つの数の積の形で表され、各数がそれぞれの寸法（dimension）に対応する。マトリックスコードのサイズが大きくなればなるほど、エンコードされるデータの量が多くなる。言い換えると、マトリックスコードのサイズが大きくなればなるほど、マトリックスコードを読み取る手段を備える機器に前記マトリックスコードの表示により送信されるデータの量が多くなる。
【０００５】
画面は、水平方向と垂直方向とを備える平面内に配置されるとともに、所定の解像度（resolution）、すなわち、水平方向で表示可能なピクセルの最大数に垂直方向で表示可能なピクセルの最大数を乗じた解像度を有する。このとき、マトリックスコードのサイズは、表示装置の画面の解像度により制限される。これは、マトリックスコードを画面上に表示できるようにマトリックスコードのサイズが画面のこの解像度よりも小さくなければならないからである。
【０００６】
また、解像度は、一般に、表示装置により異なり、また、同じマトリックスコードを異なる解像度値を有する異なる表示装置で表示できなければならない場合、データを送信するために選択されるマトリックスコードのタイプは、必然的に、前記表示装置の中で最も小さい解像度よりも小さいサイズを有する。その結果、一般に、マトリックスコードを読み取る手段を備える機器へ全てのデータを送信するために、多数のマトリックスコードを連続的に表示することが必要である。
【発明の概要】
【発明が解決しようとする課題】
【０００７】
したがって、本発明の目的は、マトリックスコードの表示により機器に送信されるデータの量を画面の解像度にしたがって最適化できるようにする、画面上にマトリックスコードを表示する方法を提案することである。
【課題を解決するための手段】
【０００８】
この目的のため、本発明の主題は、前述したタイプの表示方法であって、生成されたマトリックスコードに対応する一次画像を少なくとも２つの二次画像に分割するステップを更に含み、一次画像の寸法は、前記マトリックスコードの寸法に等しく、各二次画像の寸法は、表示装置の画面の解像度以下であり、前記対応するマトリックスコードは、表示ステップ中に二次画像の形態で表示され、二次画像は、画面上に連続的に表示される、方法である。
【０００９】
本発明の他の有利な態様によれば、この表示方法は、単独で又は技術的に想定し得る全ての組み合わせにしたがって取り扱われる以下の特徴のうちの１つ以上を含む。
【００１０】
−  各マトリックスコードにおける二次画像の数は、表示装置の画面の解像度と、前記マトリックスコードの寸法との関数である。
【００１１】
−  画面の解像度とマトリックスコードの各々は、水平方向の寸法を有し、水平方向における二次画像の数Ｎｘは、以下の方程式を検証（verify）し、
【数１】
0006396442.tif 000002
【００１２】
ここで、Ｌ１ｘは、水平方向におけるマトリックスコードの寸法を表し、Ｌ２ｘは、水平方向における画面の解像度の寸法を表し、Ｅは、整数部分を示す。
【００１３】
−  画面の解像度とマトリックスコードの各々は、垂直方向の寸法を有し、垂直方向における二次画像の数Ｎｙは、以下の方程式を検証し、
【数２】
0006396442.tif 000003
【００１４】
ここで、Ｌ１ｙは、垂直方向におけるマトリックスコードの寸法を表し、Ｌ２ｙは、垂直方向における画面の解像度の寸法を表し、Ｅは、整数部分を示す。
【００１５】
−  各マトリックスコードにおける二次画像の数Ｎは、以下の方程式：
【数３】
0006396442.tif 000004
を検証する。
【００１６】
−  前記マトリックスコード又は各マトリックスコードは、ＩＳＯ／ＩＥＣ１８００４標準規格に準拠する。
【００１７】
−  送信されるデータは、表示装置とは異なる遠隔電子装置（remote electronic device）から受信され、遠隔電子装置は、データリンクを介して表示装置に接続される。
【００１８】
−  遠隔電子装置は、送信されるデータから少なくとも１つの二次元マトリックスコードを生成する手段と、生成されたマトリックスコードに対応する一次画像を少なくとも２つの二次画像に分割する手段とを備え、生成ステップと分割ステップはそれぞれ、前記生成手段と前記分割手段により行われる。
【００１９】
−  分割ステップ中、一次画像は、複数の断片（piece）に分割され、断片の各々は、フレームにより取り囲まれ、各二次画像は、前記フレームにより取り囲まれる一次画像の対応断片を備える。
【００２０】
−  各フレームは、エンコードされた情報を含む一群の線（group of lines）の形態を成す。
【００２１】
また、本発明の主題は、マトリックスコードを読み取る手段を備える電子機器にデータを送信するために画面上に少なくとも１つのマトリックスコードを表示するシステムであって、システムは、
−  画面と、画面上に情報を表示する手段と、を備える少なくとも１つの電子表示装置と、
−  送信されるデータから少なくとも１つの二次元マトリックスコードを生成する手段とを備え、
表示手段は、マトリックスコードを画面上に表示することができ、マトリックスコードは、複数のマトリックスコードが生成されるときに連続的に表示され、
システムは更に、生成されたマトリックスコードに対応する一次画像を少なくとも２つの二次画像に分割する手段を含み、一次画像の寸法は、前記マトリックスコードの寸法に等しく、各二次画像の寸法は、対応する表示装置の画面の解像度以下であり、
前記対応するマトリックスコードは、表示手段により二次画像の形態で表示され、二次画像は、対応する画面上に連続的に表示される。
【００２２】
本発明の他の有利な態様によれば、表示画面は以下の特徴を含む。
【００２３】
システムは、表示装置とは異なる遠隔電子装置を更に含み、遠隔電子装置は、データリンクを介して前記表示装置又は各表示装置に接続され、電子装置は、送信されるデータを記憶するためのメモリを備え、送信されるデータは、記憶メモリから生成手段により受信される。
【００２４】
本発明のこれらの特徴及び利点は、添付図面に関連して単なる非限定的な一例として与えられる以下の説明を読むことにより明らかになる。
【図面の簡単な説明】
【００２５】
【図１】本発明に係る表示システムの概略図であって、この表示システムは、複数の電子表示装置と、それぞれのデータリンクを介して各表示装置に接続される遠隔電子装置とを備え、電子装置は、送信されるデータを記憶するためのメモリを備える。
【図２】本発明に係る表示方法の機能フロー図であって、この方法は、送信されるデータからマトリックスコードを生成するステップと、マトリックスコードに対応する一次画像を複数の二次画像に分割するステップと、マトリックスコードを二次画像の形態で表示するステップとを含む。
【図３】マトリックスコードの一次画像の図である。
【図４】図３に示される一次画像を２つの二次画像に分割した後に得られる二次画像の図である。
【図５】二次画像のサイズの計算を示す概略図である。
【発明を実施するための形態】
【００２６】
図１において、それぞれの画面１４Ａ，１４Ｂ上に少なくとも１つのマトリックスコード１２を表示するシステム１０は、複数の電子表示装置１６Ａ，１６Ｂ、すなわち、第１の表示装置１６Ａ及び第２の表示装置１６Ｂと、それぞれのデータリンク２０を介して各表示装置１６Ａ，１６Ｂに接続される遠隔電子装置１８とを備える。
【００２７】
また、図１は、画面１４Ａ，１４Ｂ上に表示されるマトリックスコード１２を読み取り可能な電子機器２２も示し、各画面１４Ａ，１４Ｂは水平方向Ｘ及び垂直方向Ｙを備える平面内に配置される。
【００２８】
図３に示されるマトリックスコード１２は、ＱＲ（クイックレスポンス）コードとも称される二次元マトリックスコードである。ＱＲコード１２の形態でエンコードされ得るデータの量は、前記ＱＲコード１２のサイズに依存する。マトリックスコード１２のサイズは２つのピクセル数の積の形で表され、各数がそれぞれの寸法に対応する。以下、Ｌ１ｘは、水平方向Ｘにおけるマトリックスコード１２の寸法を表し、Ｌ１ｙは、垂直方向Ｙにおけるマトリックスコード１２の寸法を表す。
【００２９】
マトリックスコード１２のサイズが大きくなればなるほど、エンコードされるデータの量が多くなる。言い換えると、マトリックスコード１２のサイズが大きくなればなるほど、前記マトリックスコード１２の表示を介して電子機器２２に送信されるデータの量が多くなる。
【００３０】
マトリックスコード１２は、ＩＳＯ／ＩＥＣ１８００４標準規格に準拠することが好ましい。
【００３１】
各画面１４Ａ，１４Ｂは、所定の解像度、すなわち、水平方向Ｘで表示可能なピクセルの最大数Ｌ２ｘに垂直方向Ｙで表示可能なピクセルの最大数Ｌ２ｙを乗じた解像度を有する。言い換えると、Ｌ２ｘは、水平方向Ｘにおける画面１４Ａ，１４Ｂの解像度の寸法を表し、また、Ｌ２ｙは、垂直方向Ｙにおける画面１４Ａ，１４Ｂの解像度の寸法を表す。
【００３２】
図１に示される実施形態では、第１の表示画面１４Ａが第１の解像度を有し、また、第２の表示画面１４Ｂが第１の解像度とは異なる第２の解像度を有する。
【００３３】
第１の表示装置１６Ａは、第１の表示画面１４Ａを含む。また、第１の表示装置１６Ａは例えば、第１のプロセッサ２６Ａと、第１のプロセッサ２６Ａに関連付けられる第１のメモリ２８Ａとから形成される第１の情報処理ユニット２４Ａを含む。
【００３４】
第２の表示装置１６Ｂは、第２の表示画面１４Ｂを含む。第２の表示装置１６Ｂは例えば、第２のプロセッサ２６Ｂと、第２のプロセッサ２６Ｂに関連付けられる第２のメモリ２８Ｂとから形成される第２の情報処理ユニット２４Ｂを含む。
【００３５】
遠隔装置１８は、例えば第３のプロセッサ３２と第３のプロセッサ３２に関連付けられる第３のメモリ３４とから形成される第３の処理ユニット３０を含む。
【００３６】
遠隔装置１８は例えば速度バリエータである。速度バリエータは、電気モータを制御できるとともに、水処理、電気用途、石油又はガスの抽出及び／又は輸送、冶金における或いは鉱石処理における用途などの様々な用途のため、或いは、ＨＶＡＣ用途と称される加熱、換気、及び、空調に関する用途のために使用される。
【００３７】
データリンク２０は例えば無線リンクであり、表示装置１６Ａ，１６Ｂ及び遠隔装置１８はそれぞれ図示しない無線トランシーバを備える。
【００３８】
マトリックスコード１２を読み取り可能な電子機器２２は、例えば第４のプロセッサ３８と第４のプロセッサ３８に関連付けられる第４のメモリ４０とから形成される第４の情報処理ユニット３６を含む。
【００３９】
第１のメモリ２８Ａは、画面１４Ａに関する情報を表示するソフトウェア４２と、遠隔装置１８により送信されるデータをデータリンク２０を介して受信するソフトウェア４４とを記憶することができる。
【００４０】
また、第１のメモリ２８Ａは、電子機器２２に送信されるデータから１つ以上の二次元マトリックスコード１２を生成するソフトウェア４６を記憶することもでき、送信される前記データは、例えば、遠隔装置１８から受信ソフトウェア４４を用いて受信される。
【００４１】
また、第１のメモリ２８Ａは、生成されたマトリックスコード１２に対応する一次画像５０（図３）を少なくとも２つの二次画像５２（図４）に分割するソフトウェア４８を記憶することができ、一次画像５０の寸法は前記マトリックスコード１２の寸法に等しく、各二次画像５２の寸法は、第１の表示装置の画面１４Ａの解像度に等しい。
【００４２】
或いは、表示手段４２、受信手段４４、生成手段４６、及び分割手段４８は、プログラム可能な電子部品の形態で又は専用の集積回路の形態で実装される。
【００４３】
第２のメモリ２８Ｂは表示ソフトウェア４２を記憶することができ、表示ソフトウェア４２は画面１４Ｂに関する情報を表示することができ、第２のメモリ２８Ｂは受信ソフトウェア４４を記憶することができる。しかしながら、第２のメモリ２８Ｂは、生成ソフトウェア４６も分割ソフトウェア４８も備えていない。
【００４４】
言い換えると、図１に示される実施形態では、第２の表示装置１６Ｂは第１の表示装置１６Ａの容量よりも容量が少ない。これは、第２の表示装置１６Ｂが、表示手段４２と受信手段４４のみを備えるが、生成手段４６や分割手段４８を備えず、後述するように、マトリックスコード１２の生成及び二次画像５２への一次画像５０の分割がその後に遠隔装置１８により行われるからである。
【００４５】
第３のメモリ３４、すなわち、遠隔装置１８のメモリは、電子機器２２に送信されるデータを記憶することができる。第３のメモリ３４は、データリンク２０を介してデータを対応する表示装置１６Ａ，１６Ｂに送信するソフトウェア５０を記憶することができる。
【００４６】
また、第３のメモリ３４は、遠隔装置に接続される表示装置１６Ａ，１６Ｂの容量を決定するソフトウェア５２を記憶することができ、決定ソフトウェア５２は特に、受信データから１つ以上のマトリックスコード１２を生成し、生成された各マトリックスコード１２に対応する一次画像５０を二次画像５２に分割するには、対応する表示装置１６Ｂの容量が不十分であるといったケースを検出することができる。更にまた、第３のメモリ３４は、生成ソフトウェア４６及び分割ソフトウェア４８を記憶することもできる。
【００４７】
画面１４Ａ，１４Ｂ上に表示され、生成されたマトリックスコードに対応する二次画像５２を読み取り可能な第４のメモリ４０、すなわち、電子機器２２のメモリは、前記二次画像５２を読み取るソフトウェア５４を記憶することができる。
【００４８】
生成ソフトウェア４６は、メモリに記憶されるデータから１つ以上のマトリックスコード１２を生成することができ、生成されたマトリックスコード１２は好ましくはＩＳＯ／ＩＥＣ１８００４標準規格に準拠する。言い換えると、生成ソフトウェア４６は、前記データを１つ以上の対応するＱＲデータへとエンコードすることができる。
【００４９】
また、生成ソフトウェア４６は、特にマトリックスコード１２の形態でエンコードされるデータの量にしたがって、最も適したタイプのマトリックスコード１２を選択できる。また、マトリックスコード１２のタイプ、すなわち、ＩＳＯ／ＩＥＣ１８００４標準規格の意義の範囲内でのシンボルバージョンは、所望の補正レベルにしたがって更に決定される。補正レベルが高くなればなるほど、同じシンボルバージョンに関して、すなわち、同じタイプのマトリックスコードに関してマトリックスコード１２が含むデータの量が少なくなる。マトリックスコード１２が画面上に表示されるようになっている場合、補正レベルは、一般に、マトリックスコードがラベル上に印刷される場合に使用される補正レベルよりも低い。
【００５０】
分割ソフトウェア４８は、各マトリックスコード１２のために必要な二次画像５２の数Ｎを決定することができ、マトリックスコード１２ごとの二次画像５２の数Ｎは、対応する表示装置の画面１４Ａ，１４Ｂの解像度及び前記マトリックスコード１２の寸法の関数である。その後、分割ソフトウェア４８は、所定のマトリックスコード１２に対応する一次画像５０を複数の二次画像５２に分割することができ、前記マトリックスコードは、前記二次画像５２の形態で画面１４Ａ，１４Ｂ上に表示されるようになっており、また、二次画像５２は画面１４Ａ，１４Ｂ上に連続的に表示される。
【００５１】
読み取りソフトウェア５４は、画面１４Ａ，１４Ｂ上に表示される二次画像５２を読み取ることができる、すなわち、これらの二次画像５２中に含まれる情報をデコードすることができるとともに、デコードされた情報を第４のメモリ４０に記憶することができる。また、読み取りソフトウェア５４はマトリックスコード１２も読み取ることができる。
【００５２】
本発明に係る表示方法の機能フロー図を示す図２を参照して、本発明に係る表示システム１０の動作について更に詳しく説明する。
【００５３】
初期ステップ１００中、遠隔装置１８は、その決定ソフトウェア５２を用いて、機器２２に送信される次のデータを（二次画像５２の表示を通じて）受信するようになっている表示装置１６Ａ，１６Ｂの容量が対応するマトリックスコード１２を生成する及び一次画像５０を二次画像５２に分割するのに十分であるか否かを決定する。
【００５４】
表示装置の画面１４Ａ，１４Ｂの解像度は、各表示装置１６Ａ，１６Ｂに固有のものであるとともに、遠隔装置１８と各表示装置１６Ａ，１６Ｂとの間の予備的なデータ交換中に各表示装置１６Ａ，１６Ｂにより遠隔装置１８へ供給される。
【００５５】
或いは、初期ステップ１００の前にパラメータ化ファイルが遠隔装置１８のメモリ３４に記憶され、パラメータ化ファイルは、各々の表示装置１６Ａ，１６Ｂごとに固有の識別子を含むとともに、各々の識別子ごとに、対応する表示装置１６Ａ，１６Ｂの画面の解像度の値を含む。
【００５６】
図１に示される実施形態における第１の表示装置１６Ａの場合のように表示装置１６Ａの容量が十分である場合、遠隔装置１８は、ステップ１１０中に、その送信ソフトウェア５０を使用して、機器２２に送信されるデータを１つ以上のマトリックスコード１２に対応する二次画像５２の形態で対応する表示装置１６Ａに送信する。
【００５７】
表示装置、例えば第１の表示装置１６Ａは、ステップ１２０中に、その受信ソフトウェア４４を使用して、機器２２に送信される前記データを受信する。
【００５８】
その後、ステップ１３０中、第１の表示装置１６Ａは、生成ソフトウェア４６を使用して、特に機器２２に送信される前記データの量に応じて、最も適したタイプのマトリックスコード１２を選択する。一例として、送信されるデータの量は３キロバイト（ｋＢ）であり、また、その後、第１の表示装置１６Ａは、例えば、各々のサイズが３×３ピクセルである１５７×１５７モジュールを備えるバージョン３９ＱＲコード、すなわち、４７１×４７１ピクセルのＱＲコードを選択する。ＱＲコード１２は、この場合も生成ソフトウェア４６を使用して、第１の表示装置１６Ａにより後続のステップ１４０中に生成される。ステップ１４０中に行われるＱＲコード１２の生成は、それ自体が知られている。
【００５９】
その後、ステップ１５０中に、第１の表示装置１６Ａは、分割ソフトウェア４８を使用して、各々のＱＲコード１２に必要な二次画像５２の数を決定する。
【００６０】
各々のＱＲコード１２における二次画像５２の数Ｎは、表示装置の画面１４Ａの解像度及び前記ＱＲコード１２の寸法の関数である。各ＱＲコード１２における二次画像５２の数Ｎは、以下の方程式を検証する。
【数４】
0006396442.tif 000005
【００６１】
ここで、Ｎｘは、水平方向Ｘにおける二次画像５２の数を表し、Ｎｙは、垂直方向Ｙにおける二次画像５２の数を表す。
【００６２】
水平方向Ｘにおける二次画像５２の数Ｎｘは、例えば、以下の方程式を検証する。
【数５】
0006396442.tif 000006
【００６３】
ここで、Ｌ１ｘは、水平方向ＸにおけるＱＲコード１２の寸法を表し、Ｌ２ｘは、水平方向Ｘにおける画面１４Ａの解像度の寸法を表し、Ｅは、数学的意味で整数部分を示す。
【００６４】
垂直方向Ｙにおける二次画像の数Ｎｙは、例えば、以下の方程式を検証する。
【数６】
0006396442.tif 000007
【００６５】
ここで、Ｌ１ｙは、垂直方向ＹにおけるＱＲコード１２の寸法を表し、Ｌ２ｙは、垂直方向Ｙにおける画面１４Ａの解像度の寸法を表し、Ｅは整数部分を示す。
【００６６】
一例として、第１の装置の画面１４Ａの解像度は、水平方向Ｘで２４０ピクセルであり、垂直方向Ｙで１６０ピクセルである。言い換えると、Ｌ２ｘは２４０に等しく、Ｌ２ｙは１６０に等しい。４７１×４７１ピクセル、すなわち、Ｌ１ｘ及びＬ１ｙがいずれも４７１に等しい前述のＱＲコードに関しては、Ｎｘが方程式（２）にしたがって２に等しく、Ｎｙが方程式（３）にしたがって３に等しい。したがって、この例では、二次画像の数Ｎが６に等しい。
【００６７】
その後、ステップ１６０中、分割ソフトウェア４８を使用して、水平方向Ｘ及び垂直方向Ｙにおける二次画像５２の数Ｎｘ，Ｎｙにそれぞれしたがって、ＱＲコード１２に対応する一次画像５０が複数の二次画像５２に分割される。
【００６８】
一例として、二次画像５２のサイズが以下のようにして計算される。
【００６９】
パラメータｌｘ，ｌｙ，ｒｘ，ｒｙは、以下の等式を検証して規定される。
【数７】
0006396442.tif 000008
【数８】
0006396442.tif 000009
【数９】
0006396442.tif 000010
【数１０】
0006396442.tif 000011
【００７０】
このとき、図５に示されるように、二次画像の水平線に関し、Ｎｘ−ｒｘ個の二次画像５２がｌｘに等しい水平方向Ｘの寸法を伴って選択され、ｒｘ個の他の二次画像５２がｌｘ＋１に等しい水平方向Ｘの寸法を伴って選択される。
【００７１】
更にまた、図５に示されるように、二次画像の垂直な縦列に関し、Ｎｙ−ｒｙ個の二次画像５２がｌｙに等しい垂直方向Ｙの寸法を伴って選択され、ｒｙ個の他の二次画像５２がｌｙ＋１に等しい垂直方向Ｙの寸法を伴って選択される。
【００７２】
加えて（図示せず）、ステップ１６０中と、一次画像５０の複数の断片への分割の後に、二次画像５２を生成するために、これらの断片の各々はフレームにより取り囲まれる。言い換えると、このとき、各二次画像５２は、前記フレームにより取り囲まれる一次画像５０の１つの断片を備える。フレームは例えば、黒線の形態を成し、又は、エンコードされた情報を含む一群の線の形態を成し、このとき、エンコードされた情報は、前記二次画像５２を介して送信されるデータのその後のデコーディングを簡略化する。
【００７３】
各二次画像５２が一次画像５０の断片を取り囲むフレームを備える場合、ｅｐはフレームの厚さを示し、また、水平方向Ｘにおける二次画像５２の数Ｎｘは、その後、例えば、以下の方程式を検証する。
【数１１】
0006396442.tif 000012
【００７４】
ここで、ｅｐは、方程式（２）において既に規定された量に関してフレームの厚さを更に表す。
【００７５】
垂直方向Ｙにおける二次画像の数Ｎｙは、例えば、以下の方程式を検証する。
【数１２】
0006396442.tif 000013
【００７６】
ここで、ｅｐは、方程式（３）において既に規定された量に関してフレームの厚さを更に表す。
【００７７】
各々のＱＲコード１２における二次画像５２の数Ｎは、方程式（１）も検証する。
【００７８】
パラメータｌｘ，ｌｙ，ｒｘ，ｒｙは、以下の等式を検証して規定される。
【数１３】
0006396442.tif 000014
【数１４】
0006396442.tif 000015
【数１５】
0006396442.tif 000016
【数１６】
0006396442.tif 000017
【００７９】
この補足によると、二次画像５２のサイズは以下のように計算される。このとき、Ｎｘ−ｒｘ個の二次画像５２がｌｘ＋（２＊ｅｐ）に等しい水平方向Ｘの寸法を伴って選択され、ｒｘ個の他の二次画像５２がｌｘ＋（２＊ｅｐ）＋１に等しい水平方向Ｘの寸法を伴って選択される。更にまた、Ｎｙ−ｒｙ個の二次画像５２がｌｙ＋（２＊ｅｐ）に等しい垂直方向Ｙの寸法を伴って選択され、ｒｙ個の他の二次画像５２がｌｙ＋（２＊ｅｐ）＋１に等しい垂直方向Ｙの寸法を伴って選択される。
【００８０】
最後に、ステップ１７０中、このようにして得られた二次画像５２は、表示ソフトウェア４２を使用して第１の表示装置の画面１４Ａ上に連続的に表示され、これらの二次画像５２は、電子機器２２によりその読み取り手段５４を使用して読み取られるようになっている。
【００８１】
初期ステップ１００中に、図１に示される実施形態における第２の表示装置１６Ｂの場合のように表示装置１６Ａの容量が十分でない場合、遠隔装置１８は、それ自体、マトリックスコード１２のタイプを選択するステップ２３０、マトリックスコード１２を生成するステップ２４０、二次画像５２の数Ｎを決定するステップ２５０、及び、各マトリックスコード１２に対応する一次画像５０を複数の二次画像５２に分割するステップ２６０を連続的に行う。
【００８２】
生成ソフトウェア４６を使用して行われる選択ステップ２３０及び生成ステップ２４０は、前述したステップ１３０，１４０と同一であり、再び説明しない。同様に、分割ソフトウェア４８を使用して行われる決定ステップ２５０及び分割ステップ２６０は、前述したステップ１５０，１６０と同一であり、再び説明しない。
【００８３】
一例として、第２の装置の画面１４Ｂの解像度が水平方向Ｘで１５０ピクセル及び垂直方向Ｙで１００ピクセルであると仮定すると、４７１×４７１ピクセルのＱＲコードは、方程式（２）にしたがって４に等しい数Ｎｘをもたらすとともに、方程式（３）にしたがって５に等しい数Ｎｙをもたらす。したがって、この例では、二次画像５２の数Ｎが第２の装置の画面１４Ｂにおいて２０に等しい。
【００８４】
分割ステップ２６０の終わりに、遠隔装置１８は、その送信ソフトウェア５０を使用して、二次画像５２を対応する表示装置へ、例えば第２の表示装置１６Ｂに送信する。
【００８５】
その後、ステップ２８０中、第２の表示装置１６Ｂは、その受信ソフトウェア４４を使用して、遠隔装置１８により送信される二次画像５２を受信するとともに、ステップ２９０中、その表示ソフトウェア４２を使用して、その画面１４Ｂ上に二次画像を表示する。
【００８６】
したがって、本発明に係る表示システム１０及び表示方法は、マトリックスコード１２の表示を異なる表示装置１６Ａ，１６Ｂの画面１４Ａ，１４Ｂの解像度に適合させることができるようにし、この解像度は、一方の表示装置１６Ａと他方の表示装置１６Ｂとで異なる可能性が高い。実際に、本発明によれば、マトリックスコード１２に対応する一次画像５０は、画面１４Ａ，１４Ｂ上に表示可能な二次画像５２に分割され、各二次画像５２の寸法は、対応する表示装置の画面１４Ａ，１４Ｂの解像度以下である。したがって、二次画像５２の数Ｎは、画面１４Ａ，１４Ｂの解像度にしたがって変化し、また、画面１４Ａ，１４Ｂの解像度が低ければ低いほど、二次画像５２の数Ｎが多くなる。
【００８７】
また、本発明に係る表示システム１０及び表示方法は、ＱＲコード１２に対応する一次画像５０が予め二次画像５２に分割されることなく画面１４Ａ，１４Ｂ上に直接に表示される従来技術の表示方法と比べて、機器２２へのデータの送信をスピードアップできるようにする。
【００８８】
実際に、一例として、第１の装置の画面１４Ａの解像度が水平方向Ｘで２４０ピクセル及び垂直方向Ｙで１６０ピクセルである場合、この画面上に直接に表示できるＱＲコード１２のタイプは、各々のサイズが４×４ピクセルである３７×３７モジュールを備えるバージョン５ＱＲコード、すなわち、１４８×１４８ピクセルのＱＲコードとなる。このタイプのＱＲコードは１５４バイトをエンコードできるようにし、したがって、従来技術の表示方法を用いると、３ｋＢのデータを送信するためにこのタイプの２０個のＱＲコードを第１の装置の画面１４Ａ上に連続的に表示する必要がある。本発明に係る表示方法によれば、第１の装置の画面１４Ａにより、３ｋＢのデータがたった６個の二次画像５２の表示により送信される。言い換えると、この例において、機器２２へのデータの送信は、従来技術の表示方法を用いるよりも本発明に係る表示方法を用いた方が約３．３倍速い。
【００８９】
したがって、本発明に係る表示システム１０及び表示方法が、二次画像５２の形態でのマトリックスコード１２の表示により機器２２に送信されるデータの量の最適化を画面１４Ａ，１４Ｂの解像度に応じて可能にし、これらの二次画像５２がマトリックスコード１２に対応する一次画像５０の分割によりもたらされることが明らかである。
【図１】
0006396442.tif 000027
【図２】
0006396442.tif 000028
【図３】
0006396442.tif 000029
【図４】
0006396442.tif 000030
【図５】
0006396442.tif 000031